(57)【要約】【課題】プレーヤが何処でも簡単に装着でき、プレーヤ自身が、ショートアイアンからドライバーまで、スウィング面又は腕三角形を確認できるゴルフスウィング面及び腕三角形確認具を提供する。【解決手段】ゴルフスウィング面及び腕三角形確認具１は、プレーヤｍの両肩から各々延出する一対の弾性紐の先端４０を、ゴルフクラブｃのヘッドｈ寄り又はグリップｇ寄りに取付けた留め具３に各々接続したものである。プレーヤｍが、ゴルフクラブｃをバックスウィングすれば、一対の弾性紐４が適度に伸縮しながら留め具３に牽引される。プレーヤｍがアドレスした時点で、そのゴルフクラブｃのスウィング面ｆ又は腕三角形を瞬時に確認できる。【選択図】  図１
2004321680.tif 000002
【特許請求の範囲】
【請求項１】
ゴルフクラブのヘッド寄りに取付ける留め具と、先端を前記留め具に接続し後端を両肩に接続する一対の弾性紐とを備えることを特徴とするゴルフスウィング面及び腕三角形確認具。
【請求項２】
ゴルフクラブのグリップ寄りに取付ける留め具と、先端を前記留め具に接続し後端を両肩に接続する一対の弾性紐とを備えることを特徴とするゴルフスウィング面及び腕三角形確認具。
【請求項３】
前記留め具が、前記ゴルフクラブのヘッドから突出した掛止片であることを特徴とする請求項１に記載のゴルフスウィング面及び腕三角形確認具。
【請求項４】
前記留め具が、前記一対の弾性紐を挿通する貫通孔を、前記ゴルフクラブのヘッドに設けて成ることを特徴とする請求項１に記載のゴルフスウィング面及び腕三角形確認具。
【請求項５】
前記留め具が、前記ゴルフクラブのシャフト又はグリップを締め付けるクランプと、該クランプから立ち上がり前記一対の弾性紐の先端を着脱自在に掛止する掛止片とを備えることを特徴とする請求項１又は２に記載のゴルフスウィング面及び腕三角形確認具。
【請求項６】
前記掛止片が、前記一対の弾性紐の先端を着脱自在に掛止する複数のフック部を、相互に前記ヘッドの前後方向に位置を違えて形成していることを特徴とする請求項５に記載のゴルフスウィング面及び腕三角形確認具。
【請求項７】
前記一対の弾性紐の後端同士を、頸に掛けられるＵ字形に連ねたことを特徴とする請求項１乃至６に記載のゴルフスウィング面及び腕三角形確認具。
【請求項８】
前記一対の弾性紐の後端付近を着脱自在に掛止する複数のフックを、上着の両肩上部の背中寄りに順次位置を違えて設けたことを特徴とする請求項１乃至７に記載のゴルフスウィング面及び腕三角形確認具。
【請求項９】
前記ゴルフクラブのシャフトが伸縮自在であることを特徴とする請求項３又は４に記載のゴルフスウィング面及び腕三角形確認具。
【請求項１０】
前記フックが、頸周りに装着する頸挿入部から両方の肩先に向けて各々延出した一対の肩添え片に各々設けられていることを特徴とする請求項８に記載のゴルフスウィング面及び腕三角形確認具。
【請求項１１】
前記一対の弾性紐の間に、面状材を掛け渡したことを特徴とする請求項１乃至１０に記載のゴルフスウィング面及び腕三角形確認具。
【請求項１２】
前記一対の弾性紐の後端から、線状材を延出したことを特徴とする請求項１乃至１１に記載のゴルフスウィング面及び腕三角形確認具。
【請求項１３】
前記一対の弾性紐の後端を着脱自在に掛止するフックを、両肩上部に各々設けたことを特徴とするゴルフウェア。
【発明の詳細な説明】
【０００１】
【発明の属する技術分野】
本発明は、ゴルフプレーヤ等が正しいスウィング面及び腕三角形を容易に確認できるゴルフスウィング面及び腕三角形確認具に関する。
【０００２】
【従来の技術】
ゴルフクラブのスウィングに係るチェックポイントは、概ね５００〜６００点に及ぶと考えられている。その中で、個々のプレーヤ自身にとって最適なポイントを早く見出し、これを適切に体得し実践したプレーヤが顕著な上達を果たしている。現在又は過去を問わず、ゴルフクラブのスウィングの適否を裏付けるスウィング理論において、最も重要視されているポイントは所謂スウィング面である。この概念を図１７及び図１８に各々示している。
【０００３】
即ち、上記のスウィング面ｆは、プレーヤｍがゴルフクラブｃをスウィングする際の仮想平面である。ゴルフクラブｃによって打撃されるボールｂは、プレーヤｍの正面におけるスウィング面ｆと、地面ｇとの境界に位置すると仮定されている。
【０００４】
一般的なスウィング理論では、プレーヤｍが、バックスウィングからフォロースルーに至るまで、ゴルフクラブｃのヘッドｈをスウィング面ｆに沿って正確にスウィングすることが理想とされている。このようなスウィングをプレーヤｍが体得するための練習用の補助機器として、既に幾つかの発案が成されている。その例が下記の特許文献に開示されている。
【０００５】
【特許文献１】
特開２０００−３２５５２３号公報
【特許文献２】
特開昭２００１−１６１８７９号公報
【０００６】
【発明が解決しようとする課題】
図１８は、ボールｂとプレーヤｍの肩とを結ぶ点線で表したスウィング面ｆが、地面ｇに対して傾斜する角度θの概念を表している。角度θは、ゴルフクラブｃの長さや種類、更にはプレーヤｍの身長やプレーヤｍとボールｂとの距離によっても変化する。
【０００７】
このため、上記の特許文献に開示された補助機器を使用するプレーヤｍは、ゴルフクラブｃを取り替える度に、これに対応できるように、上記の補助機器をゴルフクラブｃに取付ける位置を調整する等しなければなず、この手間をできる限り軽減することが望まれている。しかしながら、今のところ実現には至っていない。
【０００８】
また、ゴルフ練習場等において、プレーヤｍが装着したまま実践的な練習が行え、プレーヤｍ自身がスウィング面ｆの確認又は矯正することを企図したような練習用の補助機器の開発が望まれている。しかしながら、今のところ実現には至っていない。
【０００９】
そこで、本発明の目的は、プレーヤが何処でも簡単に装着でき、プレーヤ自身が、ショートアイアンからドライバーまで、スウィング面又は腕三角形を確認できるゴルフスウィング面及び腕三角形確認具を提供することにある。
【００１０】
【課題を解決するための手段】
本発明に係るゴルフスウィング面及び腕三角形確認具は、ゴルフクラブのヘッド寄りに取付ける留め具と、先端を前記留め具に接続し後端を両肩に接続する一対の弾性紐とを備えることを特徴とする。
【００１１】
本発明に係るゴルフスウィング面及び腕三角形確認具は、ゴルフクラブのグリップ寄りに取付ける留め具と、先端を前記留め具に接続し後端を両肩又は頸後部に接続する一対の弾性紐とを備えることを特徴とする。
【００１２】
更に、本発明は、請求項１に係るゴルフスウィング面及び腕三角形確認具において、前記留め具が、前記ゴルフクラブのヘッドから突出した掛止片であることを特徴とする。
【００１３】
更に、本発明は、請求項１に係るゴルフスウィング面及び腕三角形確認具において、前記留め具が、前記一対の弾性紐を挿通する貫通孔を、前記ゴルフクラブのヘッドに設けて成ることを特徴とする。
【００１４】
更に、本発明は、請求項１又は２に係るゴルフスウィング面及び腕三角形確認具において、前記留め具が、前記ゴルフクラブのシャフト又はグリップを締め付けるクランプと、該クランプから立ち上がり前記一対の弾性紐の先端を着脱自在に掛止する掛止片とを備えることを特徴とする。更に、本発明は、前記掛止片が、前記一対の弾性紐の先端を着脱自在に掛止する複数のフック部を、相互に前記ヘッドの前後方向に位置を違えて形成したとを特徴とする。
【００１５】
更に、本発明は、請求項１乃至６に係るゴルフスウィング面及び腕三角形確認具において、前記一対の弾性紐の後端同士を、頸に掛けられるＵ字形に連ねたことを特徴とする。
【００１６】
更に、本発明は、請求項１乃至７に係るゴルフスウィング面及び腕三角形確認具において、前記一対の弾性紐の後端付近を着脱自在に掛止する複数のフックを、上着の両肩上部の背中寄りに順次位置を違えて設けたことを特徴とする。
【００１７】
更に、本発明は、請求項３又は４に係るゴルフスウィング面及び腕三角形確認具において、前記ゴルフクラブのシャフトが伸縮自在であることを特徴とする。
【００１８】
更に、本発明は、請求項８に係るゴルフスウィング面及び腕三角形確認具において、前記フックが、頸周りに装着する頸挿入部から両方の肩先に向けて各々延出した一対の肩添え片に各々設けられていることを特徴とする。
【００１９】
更に、本発明は、請求項１乃至１０に係るゴルフスウィング面及び腕三角形確認具において、前記一対の弾性紐の間に、面状材を掛け渡したことを特徴とする。また、本発明は、前記一対の弾性紐の後端から、線状材を延出したことを特徴とする。
【００２０】
また、本発明に係るゴルフウェアは、前記一対の弾性紐の後端を着脱自在に掛止するフックを、両肩上部に各々設けたことを特徴とする。
【００２１】
【発明の実施の形態】
図１に示すように、本発明の第１の実施の形態に係るゴルフスウィング面及び腕三角形確認具１は、プレーヤｍの両方の肩から各々延出する一対の弾性紐４の先端４０を、ゴルフクラブｃのヘッドｈ寄りに取付けた留め具３に各々接続したものである。プレーヤｍが、ゴルフクラブｃをバックスウィングすれば、一対の弾性紐４が適度に伸縮しながら留め具３に牽引される。そして、プレーヤｍがアドレスした時点で、そのゴルフクラブｃのスウィング面ｆを瞬時に確認できる。また、留め具３をゴルフクラブｃのグリップに取付ければ、後述の腕三角形も確認できる。
【００２２】
弾性紐４としては、細長い弾性に優れた線材を適用する。例えば、弾性紐４として、軽量でしかも調達が極めて容易なゴム紐等を適用するのが望ましい。このようなゴム紐等は、その断面が円形である丸棒形が最適であるが、断面が偏平な長方形である平形のものでも良い。ゴム紐等の最大径又は最大幅は１〜４ｍｍ程度であるのが好ましい。また、弾性紐４の全体がゴム紐である必要はなく、弾性紐４の後端４１付近、又はプレーヤｍの上体の部分を、弾性を有さない紐で代用しても良い。また、練習時は眼を保護するためにゴーグルを着用する。
【００２３】
留め具３としては、一対の弾性紐４の先端４０をゴルフクラブｃのシャフトｓ又はグリップｅに接続できるものであれば何でも良く、シャフトｓ又はグリップｅに簡単に巻付け可能な物であれば更に良い。或いは、図２（ａ），（ｂ）に示すように、留め具３が、ゴルフクラブｃのヘッドｈから突出したフック状又は弾性紐４を挿通可能なリング状の掛止片３０であっても良い。その他、同図（ｃ），（ｄ）に、アイアンゴルフクラブｃのヘッドｈに弾性紐４を挿通させるための貫通孔３１を形成し、貫通孔３１が弾性紐４を掛止する留め具３の役割を果たすよう構成した練習専用クラブの例を示している。尚、練習専用クラブはそのシャフトｓの長さが自由に伸縮できるものが好ましい。１本のクラブでドライバーからウェッジまでチェックできるからである。
【００２４】
更に好ましくは、図３及び図４に示すように、留め具３として、ゴルフクラブｃのシャフトｓ又はグリップｅを挿通して締め付けるクランプ１０と、クランプ１０から立ち上がり一対の弾性紐４の先端４０を掛止する掛止片１１とを備えるものを適用する。図３及び図４中の留め具３は、互いに仕様が相違しているが実質的な構成は同一であるため、相互の対応する箇所に同符号を付している。
【００２５】
留め具３の材質には、軽量で適度な弾性を有する合成樹脂を適用するのが好ましい。また、プレーヤｍがゴルフクラブｃを違和感無くスイングできるように、ゴルフクラブｃをスイングする方向の留め具３の投影面積、及びスイング時に留め具３が受ける空気抵抗は、可能な限り小さくしなければならない。このような要請を満たす形態が図３又は図４に例示した形状である。
【００２６】
クランプ１０は、その周方向の１箇所を割れ目１００にて分断された弾性材料から成る短管を主体とし、割れ目１００の両縁から外方へ各々延出した一対のフランジ１０１の一方に、ネジ挿通孔１０２を形成し、他方に、ネジ挿通孔１０２に挿通する蝶ネジ１０３を螺合させる雌ネジ部１０４を形成したものである。
【００２７】
クランプ１０をシャフトｓ又はグリップｅに取付けるには、蝶ネジ１０３を緩めて雌ネジ部１０４から完全に離脱させる。そして、割れ目１００を押し広げて一対のフランジ１０１を離反させ、これら一対のフランジ１０１の間を経て、シャフトｓ又はグリップｅをクランプ１０の内側へ導入する。この時、図中の符号１０５で指した端部をゴルフクラブｃのヘッドｈ側へ向けるようにする。続いて、蝶ネジ１０３を雌ネジ部１０４に強く締め付けると、クランプ１０の内径が絞られ、クランプ１０をシャフトｓ又はグリップｅに固定できる。
【００２８】
クランプ１０をシャフトｓ又はグリップｅの長手方向に位置調整するには、蝶ネジ１０３を少しだけ緩めて、クランプ１０の内径を広げる。これにより、クランプ１０にシャフトｓ又はグリップｅを挿通させたまま、クランプ１０をシャフトｓ又はグリップｅに沿わせて移動できる。更に、クランプ１０をシャフトｓ又はグリップｅから取り外すのであれば、既述のように蝶ネジ１０３を雌ネジ部１０４から完全に離脱させた状態にし、一対のフランジ１０１の間を経て、シャフトｓ又はグリップｅをクランプ１０の外側へｓ抜き出すようにする。
【００２９】
掛止片１１は、クランプ１０の外周面から突出した羽根状の小片である。掛止片１１に一対の弾性紐４の先端４０を接続するには、先端４０を掛止片１１に直接引っ掛けても良いが、掛止片１１に、一対の弾性紐４の先端４０を着脱自在に掛止するフック部１８を、少なくとも１つ以上形成することが好ましい。
【００３０】
フック部１８は、図５に示すように、弾性紐４の直径よりも僅かに狭い口部１８０をプレーヤｍの前方（クラブヘッド側）に向けて開放し、口部１８０の奥方を拡幅して弾性紐４の直径と略同じ幅の切込部１２５を形成したものである。図１に一対として表した弾性紐４が、留め具３を頂点としてＶ字形に折り返した１本のゴム紐等から成る場合には、１つのフック部１８に一対の弾性紐４を纏めて掛止させられる。
【００３１】
弾性紐４をフック部１８に掛止させるには、弾性紐４を口部１８０の奥方へ押し込むだけで良い。これにより、弾性紐４は弾性的に縮径して口部１８０を通過し切込部１２５の内部に至る。この状態で、弾性紐４を口部１８０から意図的に引き出せば、弾性紐４をフック部１８から取り外せるが、弾性紐４が単に張力を受ける等しても、弾性紐４がフック部１８から不意に離脱することはない。
【００３２】
更に好ましくは、掛止片１１の複数の箇所にフック部１８を各々設ける。複数のフック部１８は、相互に掛止片１１の長手方向に位置を違えて配置する。これにより、プレーヤｍは、弾性紐４の先端４０を留め具３に掛止させる位置を、ヘッドｈの中心部又はヒール部等、自由に選択できる。ここで、掛止片１１の長手方向とは、図１に示すように、留め具３をシャフトｓ又はグリップｅに取り付けた状態で、シャフトｓ又はグリップｅからプレーヤｍの正面の前方へ突出する方向に一致する。言い換えると、ヘッドｈのヒールからトゥーに向かう方向である。
【００３３】
尚、留め具３の更なる変形例として以下のものが挙げられる。即ち、上記のクランプ１０に代えて、図６に示すようなクランプ１１０を適用する。クランプ１１０は、割れ目１００の両縁から外方へ各々延出した一対のフランジ１０１の一方の根元に、割れ目１００を横切って延出する舌片１１１を形成し、他方の根元に、舌片１１１を抜差し自在に挿通させるスリット状の挿通孔１１２を形成すると共に、挿通孔１１２の近傍に、舌片１１１の表面の凹凸１２１を掛止する逆止爪１１３を突出したものである。
【００３４】
クランプ１１０を上記のシャフトｓ又はグリップｅに取付けるには、舌片１１１を挿通孔１１２から完全に抜き出した状態にする。このまま、割れ目１００を押し広げて一対のフランジ１０１を離反させ、これら一対のフランジ１０１の間を経て、シャフトｓ又はグリップｅをクランプ１０の内側へ導入する。そして、一対のフランジ１０１を摘む等して接近させると、クランプ１１０の内径が絞られる。この時、逆止爪１１３は、舌片１１１が挿通孔１１２に差し込むのを許容するが、舌片１１１が挿通孔１１２から抜き出る方向へ移動するのは阻止する。従って、クランプ１１０の内径が絞られたままとなり、クランプ１１０をシャフトｓ又はグリップｅに固定できる。
【００３５】
クランプ１１０をシャフトｓ又はグリップｅの長手方向に位置調整する場合、逆止爪１１３を他方のフランジ１０１に保持する懸架片１２３を、舌片１１１から離反する方向へ指で引く等すれば、逆止爪１１３が舌片１１１から浮き上がる。これにより、舌片１１１を挿通孔１１２から抜き出せるようになり、クランプ１０の内径を自由に広げられるので、クランプ１１０にシャフトｓ又はグリップｅを挿通させたまま、クランプ１０をシャフトｓ又はグリップｅに沿わせて移動できる。
【００３６】
更に、クランプ１１０をシャフトｓ又はグリップｅから取り外すのであれば、舌片１１１を挿通孔１１２から完全に抜き出した状態にし、一対のフランジ１０１の間を経て、シャフトｓをクランプ１１０の外側へシャフトｓ又はグリップｅから抜き出すようにする。また、割れ目１００の開閉が軽い力で行えるように、クランプ１１０の割れ目１００に対向する部分１２２を薄肉に成形しても良い。
【００３７】
次に、一対の弾性紐４とプレーヤｍとの接続について説明する。即ち、一対の弾性紐４の後端４１を衣服に直接縫い付ける等しても良いが、図１及び図７に符号６で指したフックを、例えばベスト等の上着８の両肩部８０に各々設け、このようなフック６に、一対の弾性紐４の後端４１を着脱自在に掛止するのが好ましい。
【００３８】
この場合、図８（ａ）に示すように、フック６として適用するボタン等を、上着８の両肩部８０の生地に縫い付け、同フック６に、輪状に折り返した一対の弾性紐４の後端（アイ）４１を引っ掛けるのが最も良い。ボタン等から成るフック６は、その脚部６０を両肩部８０の生地に直接に縫い付けても良い。また、同図（ｂ）に示すように、互いに凹凸係合する一組のボタン６１，６２の間に、上着８の生地を挟み込むことにより、一組のボタン６１，６２を上着８の両肩部８０又は任意の箇所に取り付けても良い。この場合、上着８の生地の表側に突き出した方のボタン６１に、一対の弾性紐４の後端（アイ）４１を引っ掛けられる。或いは、同図（ｃ），（ｄ）に示すように、ボタン状の小片ほ又は円盤６３に、上着８の生地に突き刺すための所謂安全ピン６４を設けたものを、フック６として代用しても良い。
【００３９】
この他、フック６として所謂タイピンを適用しても良い。このようなタイピンは、例えば、鋲とこれが抜き差し可能な殻状ケースとから構成されるものが周知であるため図示を省略する。タイピンの鋲を、両肩部８０の裏側から突き刺す一方、両肩部８０の表側に突き出した鋲の先端を殻状ケースに差し込むと、鋲の先端が、殻状ケースに内装されたチャックに把持され、タイピンの殻状ケースは両肩部８０に固定されることになる。
【００４０】
タイピンの殻状ケースには、上記の要領で輪状に折り返した一対の弾性紐４の後端４１を引っ掛けられる。また、殻状ケースの外部に設けた釦を操作すれば、チャックを開放できるので、タイピンを跡形無く両肩部８０から取り外して、上着８を通常のゴルフウェアとして使用できる。
【００４１】
以上に例示した２種のフック６が弾性紐４の強い張力を受けた場合に、両肩部８０の生地が変形したり損傷するのを防止するために、皮革等から成る補強材８１を両肩部８０の裏地に縫い付けても良い。
【００４２】
更に好ましくは、図示の通り、３個（両肩で６個）以上のフック６を、肩の上部のやや背中寄りに、プレーヤｍの頸ｎから肩先７方向へ並べて順次位置を違えて配置すれば、プレーヤｍは、弾性紐４の後端（アイ）４１を何れのフック６に掛止するかを自由に選択できる。ここで、肩先７とは、プレーヤｍの身体の部位を必ずしも指すのではなく、頸挿入部５を装着したプレーヤｍの頸ｎから肩先へ至る方向も意味する。
【００４３】
或いは、図１に仮想線で示すように、一対の弾性紐４の後端４１同士を、後述のコードストッパー等を用いて連結し、又は無端状の弾性紐４を準備し、このような弾性紐４をプレーヤｍの頸ｎに巻掛けしても良い。この場合でも、プレーヤｍの頸ｎに両側から留め具３へ向けて各々延出させる。
【００４４】
或いは、図示を省略するが、一対の弾性紐４の後端４１に周知の小型クリップ（図１３参照）を各々取付け、これらの小型クリップに衣服等（上着８）の生地を各々噛ませることにより、一対の弾性紐４の後端４１を衣服等に直接に接続しても良い。この場合、クリップは、その柄部を指で摘む等して先端の口部を開閉可能なものを適用すれば良い。クリップの仕様としては、その先端の口部に、衣服を突き刺す小針又は衣服に食い込む歯を設けたものを適用する。好ましくは、先端の口部が不用意に開放するのを規制するようなロックが効くものを適用する。
【００４５】
以上のように、弾性紐４の先端４０を留め具３に掛止させる位置、及び弾性紐４の後端４１（アイ）を掛止させるフック６を、プレーヤｍが自由に選択し、更に、留め具３をシャフトｓ又はグリップｅに対して移動可能に取付けるよう構成したのは、以下に述べる調整を迅速に、しかも小刻みに行えることを企図している。
【００４６】
即ち、図１に実線又は仮想線で示すように、アドレス時に、プレーヤｍの正面にゴルフクラブｃをセットした状態で、一対の弾性紐４同士が、留め具３を頂点として対称Ｖ字形を成す。この状態で、一対の弾性紐４同士の夾角、及び個々の弾性紐４の長さが、ゴルフクラブｃの長さや種類、更には、プレーヤｍの身長やプレーヤｍとボールｂとの距離に応じて適切な関係となるように、プレーヤｍ自身が弾性紐４の長さを調節する。
【００４７】
この調節の具体的な要領として、プレーヤｍの正面にゴルフクラブｃを図１に示すようセットした状態で、図９に示すように、一対の弾性紐４がプレーヤｍの両方の肩から留め具３まで直線状に延びるようにする。
【００４８】
このためには、一対の弾性紐４を僅かに緊張させる必要がある。弾性紐４に加わる張力の有無は、ゴルフクラブｃを介してプレーヤｍがグリップの感覚によって認識できる最適な張りにする。また、少しゴルフクラブｃがリフトされる程度の張力を与えると、正確なスウィング面に乗り易くなる。この時、図１に示すように、一対の弾性紐４の間の一部又は全域に、ネット、薄手の合成樹脂シート、又は紙等から成る伸縮性に優れた面状材４２を架け渡すようにすれば、プレーヤｍはスウィング面ｆを一層リアルにイメージできる。
【００４９】
続いて、図１に示した状態から、プレーヤｍがゴルフクラブｃをバックスウィングする過程で、図１０に示すように、ゴルフクラブｃが飛球線の後方で地面ｇに対して平行、即ちシャフトｓが水平状態になったところで、ゴルフクラブｃを一旦静止させる。そして、図１１に実線で示すように、飛球方向側の肩から留め具３へ真っ直ぐに延びる一方の弾性紐４が、ゴルフクラブｃの真上に一致又は略一致するように、弾性紐４の後端（アイ）４１を掛止するフック６を選択する。
【００５０】
これを確実に行うには、バックスウィングを何度か繰り返し、幾つかのフック６に一方の弾性紐４を順次付け替えることで、最適なフック６を探るようにする。更に加えて、図９に示したように、バックスウィングを行う直前に他者ｏにゴルフクラブｃを持って飛球線後方に立ってもらい、アドレスした状態でゴルフクラブｃのヘッドｈがスウィング面ｆに乗っていることを予め確認した上で、最適なフック６を決定するのが最も良い。
【００５１】
この時、一対の弾性紐４の後端４１から、線状材４３を延出すれば、スウィング面ｆを他者ｏが一層明確に視認できる。しかも、プレーヤｍが鏡を見ながらスウィング練習を行う場合には、プレーヤｍ自身が線状材４３を見ることにより、後方のスウィング面ｆを一層明確に確認できる。線状材４３として、例えば、釣り竿等に広く使われる直径１〜２ｍｍ程のカーボンファイバー製の線材、又は軽量樹脂等を適用できる。
【００５２】
以上の調整が完了したところで、弾性紐４を引っ掛けたフック６の位置をプレーヤｍが記憶すれば、これを次回に再現するだけで、以上の調整を速やかに行える。また、上記のように弾性紐４を引っ掛ける位置又は留め具３の移動だけでは所望の調整が果たせない場合は、予め弾性紐４を長めにしておき、弾性紐４の後端４１を既述のような輪状（アイ）に折り返すときに、その折り返す長さを増減することで、弾性紐４の全長を適切に調整する。また、輪状に折り返して互いに重なり合う弾性紐４同士を固定し束ねるには、コードストッパを使用（図１４参照）しても良い。これによりコードストッパから弾性紐４の一部が垂れ下がった場合、この部分をプレーヤｍの背中側に廻して小型クリップ又はコードストッパで束ねても良い。また、ゴルフクラブｃとして、そのシャフトｓが伸縮可能なものを使用するのであれば、一本のゴルフクラブｃでウェッジからドライバーまでスウィング面ｆが確認できる。
【００５３】
以上に述べた通り、シャフトｓが水平状態になったところで、飛球方向側の肩から留め具３へ真っ直ぐ延びる一方の弾性紐４が、ゴルフクラブｃの真上又は略真上に位置するか否かを、プレーヤｍ自身が一目で確認できる。これにより、飛球方向側の弾性紐４が水平状態のゴルフクラブｃの略真上にあれば、プレーヤｍは、バックスウィングの軌道がスウィング面ｆに乗っており、バックスウィングが適切であると判断できる。また、プレーヤｍがその両腕で作る三角形を維持できれば更に良い。
【００５４】
例えば、右打ちのプレーヤｍが行ったバックスウィングの軌道がスウィング面ｆ上にある場合は、左の肩から延出する一方の弾性紐４がゴルフクラブｃの略真上で直線状に張ることになり、水平状態のゴルフクラブｃのシャフトｓの真上から外れていれば、プレーヤｍは、バックスウィングが不適切なため修正が必要であると判断できる。
【００５５】
次に、本発明の第２の実施の形態に係るゴルフスウィング面確認練習具について説明する。以下で、既述の構成要素には同符号を付し、その詳細な説明及び図示を省略する。当該ゴルフスウィング面確認練習具は、図１２に示すように、両肩に添える一対の肩添え片２０を備えるものである。
【００５６】
一対の肩添え片２０として、プレーヤｍの両方の肩に、伸縮可能な樹脂バンド等を用いて各々取付けた肩パッド等を適用しても良い。或いは、プレーヤｍの頸ｎの周りに回転自在に装着できる頸挿入部５の両側から、一対の肩添え片２０を、プレーヤｍの肩先７に向けて各々延出させても良い。この場合、一対の肩添え片２０をプレーヤｍの両方の肩に直接固定しなくても良い。プレーヤｍが、ゴルフクラブｃをバックスウィングすれば、一対の肩添え片２０が両方の肩の動きに伴って頸ｎの周りで旋回し、一対の弾性紐４が適度に伸縮しながら留め具３に牽引される。
【００５７】
頸挿入部５は、図示の通りプレーヤｍの正面に開放した略Ω字形であっても良いが、環状の首輪としても良い。頸挿入部５及び肩添え片２０の材質には、プレーヤｍの身体が強く擦れることを考慮し、またプレーの邪魔にならないように、軟質で軽量な材料を適用するのが望ましい。例えば、頸挿入部５及び肩添え片２０の材質として発泡ウレタン等を適用し、頸挿入部５及び肩添え片２０の中心部の内径を調節できるようにしても良い。この場合、プレーヤｍがその頸ｎを頸挿入部５に挿通させる際に、頸挿入部５を弾性変形させて適度に押し広げられるので、頸挿入部５の頸ｎへの着脱が容易である。
【００５８】
一対の肩添え片２０に、一対の弾性紐４の後端４１を接続するには、肩添え片２０に弾性紐４の後端４１を直接に接着しても良い。好ましくは、一対の肩添え片２０に、一対の弾性紐４の後端（アイ）４１を着脱自在に掛止するフック５５を各々設ける。これにより、ゴルフスウィング面及び腕三角形確認具１を使用しない時に、一対の肩添え片２０から一対の弾性紐４を容易に取り外せるので、肩添え片２０及び弾性紐４の収納や携行が便利である。
【００５９】
また、図１には、第１の実施の形態に係るゴルフスウィング面及び腕三角形確認具１の他の使用例を、仮想線として重ねて表している。即ち、ゴルフスウィング面及び腕三角形確認具１の留め具３を、ゴルフクラブｃのグリップｅ寄りに取付けた状態を示している。プレーヤｍがアドレスした時点で、一対の弾性紐４を視認することにより、腕三角形を即時に確認できる。
【００６０】
尚、以上の説明中で述べた「小型クリップ」は、図１３に参考例を示すように、一の挟口片１３と、一の挟口片１３を滑節１３０を介して接合し一の挟口片１３に対向する位置に他の挟口片１３１を突出した支持体１３２と、支持体１３２の内部に一端（図中上端）を回転自在に接合し他端に図に表れていない他弾性紐４を挿通又は引っ掛けられる紐通し孔１３３を形成した揺動片１３４とを備えるものである。
【００６１】
一の挟口片１３と他の挟口片１３１のそれぞれ内側には、衣服等に食い込む複数の凸歯１３５を突出している。一の挟口片１３の開閉動作は指等で簡単に行える。一の挟口片１３と他の挟口片１３１の間に衣服等の生地を挟み込んだ状態で、揺動片１３４を図中で水平姿勢になるよう回動させると、一の挟口片１３をロックすることができる。
【００６２】
また、「コードストッパ」は、図１４に参考例を示すように、図中で上方が開放した筒体１４の側面を貫いて外通し孔１４０を形成する一方、筒体１４に出没自在に内装され筒体１４から突出する方向へバネ付勢された短軸１４１に、外通し孔１４０に対応する内通し孔１４２を形成したものである。短軸１４１を指等で筒体１４の中へ押し込むと、外通し孔１４０と内通し孔１４２の位置が合致する。この状態で、弾性紐４を輪状（アイ）に折り返して、外通し孔１４０と内通し孔１４２とに挿通させた後、短軸１４１から指等を離せば、バネ付勢された短軸１４１によって弾性紐４が剪断方向の力を受ける。この時の摩擦力によって当該コードストッパは弾性紐４を固定できる。
【００６３】
また、留め具３の更なる変形例として、図１５に示すように、クランプ１０の割れ目１００と反対側に、細板から成る掛止片１１をその長手方向にスライド自在に貫通させるホルダー部１５０を形成し、掛止片１１に直交する方向からホルダー部１５０に固定ボルト１５１を螺合したものである。固定ボルト１５１を緩めると、掛止片１１がクランプ１０から突き出す長さを自由に調節できる。固定ボルト１５１を締め付けると、掛止片１１をクランプ１０に固定できる。また、同図（ｃ）に示すように、掛止片１１を省略し、クランプ１０に直接に掛止片３０を形成しても良い。
【００６４】
更に、図１６に示すように、クランプ１０の割れ目１００と反対側に、固定ボルト１６０を螺合し、このネジ軸１６１を細板から成る掛止片１１の長手方向の途中に貫通させる。固定ボルト１６０を緩めると、掛止片１１をネジ軸１６１の周りに旋回させて掛止片１１の取付け角度を自由に調節できる。固定ボルト１６０を締め付けると、掛止片１１をクランプ１０に固定できる。
【００６５】
以上に例示した第１，第２の実施の形態に係るゴルフスウィング面及び腕三角形確認具は、本願発明の技術的思想を実質的に限定するものと解してはならない。本発明は、その要旨を逸脱しない範囲で、当業者の創意と工夫により、適宜に改良、変更、又は追加をしながら実施されるものである。
【００６６】
【発明の効果】
本発明に係るゴルフスウィング面及び腕三角形確認具によれば、プレーヤの両肩から各々延出する一対の弾性紐の先端を、ゴルフクラブのヘッド寄り又はグリップに取付けた留め具に接続したり、ゴルフクラブ本体に弾性紐を通す貫通孔を形成し、若しくは、例えば輪又はフック等から成る掛止片を突出した簡単な構成であるため、ゴルフ練習場等において、プレーヤは、当該ゴルフスウィング面及び腕三角形確認具を装着したまま、実践的な練習を行うことができる。
【００６７】
また、アップライトなスウィング面にする時は、留め具のクランプをグリップ寄りにセットし、フラットなスウィング面にする時は、弾性紐の後端に所謂クリップ（ロック付）を取付け、これを肩より下に接続すれば良い。
【００６８】
また、プレーヤが一対の弾性紐又は面状材を視認することにより、スウィング面を強く意識しながらスウィング練習を行えるという利点が得られる。更には、スウィング面に弾性紐が一致するか否かを、プレーヤ自身に限らず、例えばコーチを担う他者が飛球線の後方から一目で確認できる。このように、他者が飛球方向の後方からプレーヤを指導するのに便利である。特に、弾性紐の後端から線状材を延出した場合には、スウィング面を一層明確に視認することができる。
【００６９】
更に、一対の弾性紐の後端を着脱自在に掛止する複数のフックを上着に設けた場合、プレーヤが一対の弾性紐の後端を掛止するフックを選択するだけで、一対の弾性紐同士の夾角を自在に調整できる。従って、ゴルフクラブの長さや種類、更にはプレーヤの身長やプレーヤとボールとの距離に応じて、調整肩添え片から留め具へ向かって延びる一対の弾性紐を、スウィング面上に一致させるための調整が、極めて容易に行うことができる。
【００７０】
更に、本発明に係るゴルフスウィング面及び腕三角形確認具によれば、上着の両肩部から各々延出した一対の弾性紐の先端を留め具に各々接続するよう構成しているので、プレーヤが上着を身に付けるだけで、その肩に一対の弾性紐を簡単に装着できる。従って、ゴルフ練習場等においてプレーヤが装着したまま違和感無く練習を行うことができる。また、上着から一対の弾性紐取り外せば、このような上着をゴルフウェアとして使用することができる。
【００７１】
更に、本発明に係るゴルフスウィング面及び腕三角形確認具によれば、上着の両肩部に、それぞれ、一対の弾性紐の後端を着脱自在に掛止する複数のフックが、上着の肩のラインから順次位置を違えて設けられているので、プレーヤが一対の弾性紐の後端を掛止するフックを選択するだけで、一対の弾性紐同士の夾角を調整できる。従って上記と同様に、一対の弾性紐をスウィング面上に一致させるための調整が、極めて容易に行える。
【００７２】
更に、本発明に係るゴルフスウィング面及び腕三角形確認具によれば、留め具が、ゴルフクラブのシャフト又はグリップを締め付けるクランプと、クランプから立ち上がり一対の弾性紐の先端を掛止する掛止片とを備えるので、クランプを緩めて同クランプをゴルフクラブのシャフト又はグリップに沿わせて移動させられる。所望の位置に移動させたクランプでシャフト又はグリップを締め付けて、掛止片を固定することにより、一対の弾性紐同士の夾角、及び個々の弾性紐の長さを調整できる。
【００７３】
また、ヘッドに貫通孔やフックを形成したゴルフクラブに関しては、ゴルフクラブのシャフトの長さを伸縮できるので、ショートアイアンからドライバーの長さまでのゴルフクラブに対応できるように、多様な調整を行うことができる。
【００７４】
更に、本発明に係るゴルフスウィング面及び腕三角形確認具によれば、掛止片に複数のフック部を形成した場合、ヘッドが如何なる仕様のゴルフクラブでも、そのトゥーから中心又はヒール部へ一対の弾性紐の先端が向かうように、一対の弾性紐の角度を調整することができる。
【００７５】
更に、本発明に係るゴルフスウィング面及び腕三角形確認具によれば、肩添え片が、頸挿入部から肩先に向けて各々延出したものであるので、プレーヤが頸挿入部を頸周りに装着するだけで、一対の肩添え片を簡単に肩に取り付けられる。しかも、頸挿入部を頸から抜き取るだけで、これに伴って一対の肩添え片を簡単にプレーヤの肩から取り外せるという利点がある。
【００７６】
本発明に係るゴルフウェアによれば、一対の弾性紐の後端を着脱自在に掛止するフックを両肩上部に設けているので、通常は上着として着用し、スウィング練習を行う場合には、弾性紐と留め具を準備、又はこれらに代用可能なものを調達するだけで、当該ゴルフウェアを本発明に係るゴルフスウィング面及び腕三角形確認具として使用することができる。
【図面の簡単な説明】
【図１】本発明の第１の実施の形態に係るゴルフスウィング面及び腕三角形確認具の２つの装着例を各々示す正面図。
【図２】本発明の実施の形態に係るゴルフスウィング面及び腕三角形確認具に適用した留め具をゴルフクラブのヘッドに形成した場合の種々の形態例を示す斜視図。
【図３】本発明の実施の形態に係るゴルフスウィング面及び腕三角形確認具に適用した留め具の第１例を示す両端面図、及び両側面図。
【図４】本発明の実施の形態に係るゴルフスウィング面及び腕三角形確認具に適用した留め具の第２例を示す端面図、側面図、及び上面図。
【図５】本発明の実施の形態に係るゴルフスウィング面及び腕三角形確認具に適用した留め具のフック部の詳細図。
【図６】本発明の実施の形態に係るゴルフスウィング面及び腕三角形確認具に適用した留め具の第３例を示す一部破断図、その要部の断面図、及び平面図。
【図７】本発明の第１の実施の形態に係るゴルフスウィング面及び腕三角形確認具に適用した上着の斜視図。
【図８】本発明の第１の実施の形態に係るゴルフスウィング面及び腕三角形確認具に適用した上着の要部の断面図、その他の例の断面図、並びに、更に他の例の平面図及び側面図。
【図９】本発明の第１の実施の形態に係るゴルフスウィング面及び腕三角形確認具の装着例を示す側面図。
【図１０】本発明の第１の実施の形態に係るゴルフスウィング面及び腕三角形確認具の他の装着例を示す正面図。
【図１１】本発明の第１の実施の形態に係るゴルフスウィング面及び腕三角形確認具の他の装着例を示す俯瞰図。
【図１２】本発明の第２の実施の形態に係るゴルフスウィング面及び腕三角形確認具の装着例を示す正面図。
【図１３】本発明を実施する際に使用可能な小型クリップを斜視図として表した参考図。
【図１４】本発明の実施する際に使用可能なコードストッパを斜視図として表した参考図。
【図１５】本発明の実施の形態に係るゴルフスウィング面及び腕三角形確認具に適用した留め具の第４例を示す両端面図、及び両側面図。
【図１６】本発明の実施の形態に係るゴルフスウィング面及び腕三角形確認具に適用した留め具の第５例を示す端面図、側面図、及び上面図。
【図１７】スウィング面の概念を説明する斜視図。
【図１８】スウィング面の傾斜角度の概念を説明する斜視図。
【符号の説明】
１：ゴルフスウィング面及び腕三角形確認具
３：留め具
４：弾性紐
５：頸挿入部
６：フック
７：肩先
８：上着
１０：クランプ
１１：掛止片
１８：フック部
２０：肩添え片
ｂ：ボール
ｃ：ゴルフクラブ
ｈ：ヘッド
ｍ：プレーヤ
ｎ：頸
ｓ：シャフト
【図１】
2004321680.tif 000003
【図２】
2004321680.tif 000004
【図３】
2004321680.tif 000005
【図４】
2004321680.tif 000006
【図５】
2004321680.tif 000007
【図６】
2004321680.tif 000008
【図７】
2004321680.tif 000009
【図８】
2004321680.tif 000010
【図９】
2004321680.tif 000011
【図１０】
2004321680.tif 000012
【図１１】
2004321680.tif 000013
【図１２】
2004321680.tif 000014
【図１３】
2004321680.tif 000015
【図１４】
2004321680.tif 000016
【図１５】
2004321680.tif 000017
【図１６】
2004321680.tif 000018
【図１７】
2004321680.tif 000019
【図１８】
2004321680.tif 000020